(57)【要約】【課題】座り心地に優れたネスティング式椅子を提供する。【解決手段】椅子は脚装置１と座２と背もたれ３とを備えており、脚装置１は前後にネスティングできるように枝足の高さと開き角度とが工夫されている。背もたれ３は、支持フレーム９の上端前部の第１支軸１２を中心にして後傾動する。座２は、支持フレーム９に跳ね上げ回動自在に連結された可動式ベース１４に前後スライド自在に取り付けられており、背もたれ３が後傾すると、座２が前進する。ロッキング時に座が前進するため、ネスティング可能な椅子でありながらリラックス性に優れている。【選択図】図２
2014004319.tif 000002
【特許請求の範囲】
【請求項１】
複数個を水平方向に嵌め合わせ可能な脚装置と、前記脚装置に直接に又は固定式ベース又は他の支持部材を介して後傾動可能に取り付けられた背もたれと、前記脚装置の上方に配置された座とを有しており、
前記座は、前記背もたれの後傾動に連動して又は連動することなく前進動又は後退動若しくは傾動のうち少なくとも１つの動きをすると共に、前記脚装置又はこれに設けた部材に跳ね上げ回動自在に連結されており、前記座を前記背もたれの前面に重なるように跳ね上げることで前後に配置された脚装置を互いに嵌め合わせることが許容されている、
ネスティング可能な椅子。
【請求項２】
前記座の回動支点を当該座の後端部かその近傍に位置させており、前記座のうち回動支点よりも手前側の部位が前記固定式ベースの支持部で支持されており、前記座を跳ね上げ回動させると固定式ベースの支持部が露出するようになっている、
請求項１に記載したネスティング可能な椅子。
【請求項３】
前記脚装置は、ガスシリンダより成る脚支柱から複数本の枝足が放射方向に延びている形態であり、各枝足の先端にキャスタを設けている、
請求項１又は２記載したネスティング可能な椅子。
【請求項４】
前記脚装置は高さ調節できない固定式であり、その左右両側部に、前記支持部材として前記座の左右外側に位置した支持フレームを設け、前記支持フレームに前記座と背もたれとを取り付けている、
請求項１又は２に記載したネスティング可能な椅子。
【請求項５】
前記背もたれの後傾動によって前記座に前進動又は後退動若しくは傾動のうち少なくとも１つの動きを付与する連動手段が設けられている、
請求項１〜４のうちのいずれかに記載したネスティング可能な椅子。
【請求項６】
前記座は、前記支持部材に跳ね上げ回動自在に取り付けられた可動式ベースに前後動可能に装着されており、前記可動式ベースに対する座の前進動をばね手段で支持することにより、着座した人が背もたれに凭れかかると使用者の押し作用によって前記座がばね手段に抗して前進動する、
請求項１〜５のうちのいずれかに記載したネスティング可能な椅子。
【請求項７】
前記座は、前記背又はこれが取り付いた回動式背フレーム若しくは前記支持部材に、跳ね上げ回動自在でかつ前記背もたれの後傾動に連動して後退動又は前進動するように連結されており、前記座のうち前記跳ね上げ回動支点よりも手前側の部位が滑り移動可能な状態で前記固定式ベースに支持されている、
請求項１〜５のうちのいずれかに記載したネスティング可能な椅子。
【発明の詳細な説明】
【技術分野】
【０００１】
本願発明は、ネスティング可能な椅子（可動式椅子）に関するもので、特に、脚装置にガスシリンダを設けて背もたれがロッキングする回転椅子を好適な対象にしている。
【背景技術】
【０００２】
椅子の不使用時に格納スペースを節約するために、椅子同士を水平方向に嵌め合わせること（ネスティングすること）は広く行われている。この種のネスティング可能な椅子は、パイプ椅子と呼ばれているタイプが多いが、オフィスで多用されている回転椅子をネスティング可能な構造にすることが特許文献１に開示されている。
【０００３】
具体的に述べると、特許文献１では、まず、脚を前後４本の枝足を有する方式として、前２本の枝足の高さを後ろ２本の枝足の高さよりも低くすると共に、前２本の枝足の広がり角度を後ろ２本の枝足の広がり角度より小さくすることで、前後に配置した脚装置が嵌まり合うように設定している。
【０００４】
次に、背もたれは、脚支柱（ガスシリンダ）の上端に設けた左右横長の固定式ベースに左右の背フレームを介して取り付けられており、固定式ベースに内蔵したトーションバーで背もたれのロッキングに抵抗を付与している。そして、座の下面のうち概ね前後中間部に、固定式ベースに設けた支軸部に回転自在に嵌まる軸受けブラケットを下向き突設し、これにより、座の跳ね上げ回動を許容している。従って、座の跳ね上げ回動中心と背もたれの傾動中心（回動中心）とは同心になっている。
【０００５】
特許文献１では、座の前後中間部を固定式ベースに連結しているので、座は跳ね上げた状態で下半分は背の下端及び固定式ベースよりも下方に位置している。また、固定式ベースの後ろには座の後半部が下向き回動することを許容するための空間が空いている。
【０００６】
座は脚装置に対して水平回転自在である一方、ネスティング時の脚装置は方向性を持っている。そこで、座を跳ね上げると脚装置がネスティング可能な姿勢になるように配慮している。また、座を跳ね上げると、ガスシリンダのロックが解除されて、座は最も高い位置に上昇するように設定しており、これにより、最も深い嵌まり合いを確保すると共にネスティング状態での各椅子の高さを揃えて見栄えを良いものとしている。
【先行技術文献】
【特許文献】
【０００７】
【特許文献１】特許第３７３０１１９号公報
【発明の概要】
【発明が解決しようとする課題】
【０００８】
既述のように、椅子をネスティングするのは不使用時の格納スペースを少なくするためであり、従来は、パイプ椅子のように簡易な構造のものが多かった。しかし、簡易な構造であると、長時間腰掛けた場合の座り心地は良いとは言えなかった。座り心地で大きな要素となるのが背のロッキングであり、パイプ椅子においてもフレーム材の曲がり変形を利用して背に若干のロッキング性を付与することが行われているが、フレーム材の曲がり変形を利用した程度ではロッキング角度はごく僅かであるため、長時間腰掛けた場合の座り心地の改良にはさほど貢献しないと言える。
【０００９】
この点、特許文献１の構成を採用すると、背もたれは通常の回転椅子と同様に大きくロッキングするため、長時間使用し続けても疲れにくくて座り心地に優れている。しかし、座り心地の向上という点に関しては、まだ、改善の余地が見られる。
【００１０】
つまり、パイプ椅子を長時間使用し続けると疲れるのは、使用者が身体を動かそうとしても背もたれも座も追従せず、身体の動きが椅子によって拘束されるためであり、この点、ロッキング式回転椅子は、背もたれがロッキングすると共に一般に座も背の後傾動に連動して動くため、使用者の動きに対する背及び座の追従性が高くて長時間使用し続けても疲れにくいのであるが、特許文献１では背もたれがロッキングするに過ぎず、背もたれがロッキングしても座の位置・姿勢は変化しないため、必ずしも高い座り心地を得るには至っていないと言える。
【００１１】
本願発明はこのような現状に鑑み成されたものであり、ネスティング可能なロッキング椅子の座り心地を改良することを目的としている。また、本願はネスティング式椅子に関して多くの改良点を開示しており、これら改良された椅子を提供することも発明の目的となり得る。
【課題を解決するための手段】
【００１２】
本願発明の椅子は、複数個を水平方向に嵌め合わせ可能な脚装置と、前記脚装置に直接に又は固定式ベース又は他の支持部材を介して後傾動可能に取り付けられた背もたれと、前記脚装置の上方に配置された座とを有している。
【００１３】
そして、前記座は、前記背もたれの後傾動に連動して又は連動することなく前進動又は後退動若しくは傾動のうち少なくとも１つの動きをすると共に、前記脚装置又はこれに設けた部材に跳ね上げ回動自在に連結されており、前記座を前記背もたれの前面に重なるように跳ね上げることで前後に配置された脚装置を互いに嵌め合わせることが許容されている。
【００１４】
本願発明は様々に展開することができる。その例を請求項２以下で特定している。すなわち、まず、請求項２の発明は、請求項１において、前記座の回動支点を当該座の後端部かその近傍に位置させており、前記座のうち回動支点よりも手前側の部位が前記固定式ベースの支持部で支持されており、前記座を跳ね上げ回動させると固定式ベースの支持部が露出するようになっている。
【００１５】
請求項３の発明は、請求項１又は２において、前記脚装置は、ガスシリンダより成る脚支柱から複数本の枝足が放射方向に延びている形態であり、各枝足の先端にキャスタを設けている。請求項４の発明は、請求項１〜３のうちのいずれかにおいて、前記背もたれの後傾動によって前記座に前進動又は後退動若しくは傾動のうち少なくとも１つの動きを付与する連動手段が設けられている。
【００１６】
請求項４の発明は、請求項１又は２において、前記脚装置は高さ調節できない固定式であり、その左右両側部に、前記支持部材として前記座の左右外側に位置した支持フレームを設け、前記支持フレームに前記座と背もたれとを取り付けている。
【００１７】
請求項５の発明は、請求項１〜４のうちのいずれかにおいて、前記背もたれの後傾動によって前記座に前進動又は後退動若しくは傾動のうち少なくとも１つの動きを付与する連動手段が設けられている。
【００１８】
請求項６の発明は、請求項１〜５のうちのいずれかにおいて、前記座は、前記支持部材に跳ね上げ回動自在に取り付けられた可動式ベースに前後動可能に装着されており、前記可動式ベースに対する座の前進動をばね手段で支持することにより、着座した人が背もたれに凭れかかると使用者の押し作用によって前記座がばね手段に抗して前進動する。
【００１９】
請求項７の発明は、請求項１〜５のうちのいずれかにおいて、前記座は、前記背又はこれが取り付いた回動式背フレーム若しくは前記支持部材に、跳ね上げ回動自在でかつ前記背もたれの後傾動に連動して後退動又は前進動するように連結されており、前記座のうち前記跳ね上げ回動支点よりも手前側の部位が滑り移動可能な状態で前記固定式ベースに支持されている。
【発明の効果】
【００２０】
本願発明では、座が背もたれの後傾動に連動して又は連動することなく動き得るため、椅子の使用者は上半身を後傾させるのみでなく、座が前進したり後退したり傾動したりすることで、ロッキングに際して身体をリラックスした状態に保持できる。これにより、ネスティング可能なロッキング椅子でありながら、座り心地を向上させることができる。
【００２１】
請求項２のように座の跳ね上げ回動支点を当該座の後部に位置させると、固定式ベースの後ろに座の跳ね上げ回動を許容するための空間を確保する必要はないため、例えば背もたれが取り付く背フレームを固定式ベースの左右中間部から後ろ向きに延出させたり、左右背フレームの座の左右間隔よりも小さい間隔に狭めたりすることができて、椅子の設計の自由性を向上させることかできる。つまり、従来のロッキング式回転椅子と同様のデザインを確保しつつ、ネスティング機能を付与することができるのである。
【００２２】
脚装置は様々の形態を採用できるが、請求項３の構成を採用すると、座面の高さを使用者の体格や好みに応じて調節できるため、ユーザーフレンドリーである。また、デザイン的に従来の回転椅子と共通しているため違和感なく広く受けいれられる。更に、キャスタ付きであるため、使用感に優れていると共に、格納・取り出しの移動作業も容易である。他方、請求項４の構成を採用すると、いわゆるパイプ椅子にも簡単に適用できて好適である。
【００２３】
請求項５のように座の動きを背もたれの後傾動に連動させると、身体の負担を無くすことができる利点がある。他方、請求項６のように座を背もたれの後傾動には連動させずに着座者の押し作用で前進させる構成を採用すると、ロッキング時に身体が伸び勝手になることでリラックス状態を得ることができるが、連動手段が不要であるため、外観をスッキリさせることができる。
【００２４】
請求項７の発明も背もたれの後傾動に連動して座が後退又は前進するが、この発明では座は固定式ベースの上に載って滑り移動するだけであるため、構造を簡単化できる。
【図面の簡単な説明】
【００２５】
【図１】（Ａ）（Ｂ）とも第１実施形態に係る椅子の斜視図である。
【図２】（Ａ）はニュートラル状態での側面図、（Ｂ）はロッキング状態での側面図である。
【図３】（Ａ）は座を跳ね上げた状態での斜視図、（Ｂ）は脚装置の正面図である。
【図４】ネスティング状態を示す側面図である。
【図５】椅子の全体的な分離斜視図である。
【図６】（Ａ）（Ｂ）ともクッションを省略した状態での全体斜視図である。
【図７】座の支持機構を示すための一部分離斜視図である。
【図８】（Ａ）は座をひっくり返した状態での斜視図、（Ｂ）は座の分離斜視図である。
【図９】（Ａ）は固定式ベースの箇所の一部分離斜視図、（Ｂ）は座のガイド機構を示す分離斜視図である。
【図１０】（Ａ）は座のガイド機構を示す一部分離正面図、（Ｂ）はロッキング状態での一部破断・分離側面図である。
【図１１】第２実施形態を示す模式図で、（Ａ）はニュートラル状態の側面図、（Ｂ）はロッキング状態の側面図、（Ｃ）は座を跳ね上げた状態の側面図である。
【図１２】第３実施形態を示す模式図で、（Ａ）はニュートラル状態の側面図、（Ｂ）はロッキング状態の側面図、（Ｃ）は座を跳ね上げた状態の側面図である。
【図１３】第４実施形態を示す模式図で、（Ａ）はニュートラル状態の側面図、（Ｂ）はロッキング状態の側面図、（Ｃ）は座を跳ね上げた状態の側面図である。
【図１４】（Ａ）は第５実施形態を示す模式的な側面図、（Ｂ）は（Ａ）のＢ−Ｂ視断面図、（Ｃ）は第６実施形態を模式的な側面図である。
【図１５】第７実施形態を模式的に示す図で、（Ａ）は側面図、（Ｂ）は部分正面図である。
【図１６】第８実施形態の模式的な側面図である。
【図１７】第９実施形態に係る脚装置の正面図である。
【図１８】（Ａ）は第１０実施形態の模式図、（Ｂ）は第１１実施形態の模式図である。
【図１９】第１２実施形態に係る椅子の斜視図であり、（Ａ）は座を倒した状態の全体斜視図、（Ｂ）は座を跳ね上げた状態での全体斜視図、（Ｃ）は背もたれの部分的な分離斜視図である。
【図２０】座を分離した状態の斜視図、（Ｂ）は座受け部の斜視図である。
【図２１】座を省略した状態での分離斜視図である。
【図２２】ロッキング機構を示す分離斜視図である。
【図２３】（Ａ）は座部の一部分離斜視図、（Ｂ）はスライダーと支持ステーとの関係を示す図、（Ｃ）は（Ｂ）のＣ−Ｃ視断面図である。
【図２４】座の支持機構を示す一部分離斜視図である。
【図２５】（Ａ）は可動式ベースとスライダーとばねユニットとの関係を示す分離斜視図、（Ｂ）は後部ばね受けと可動式ベースとの分離斜視図、（Ｃ）は後部ばね受けの斜視図である。
【図２６】（Ａ）は座とスライダーとの関係を示す分離斜視図、（Ｂ）を座の後部を下かから部分斜視図、（Ｃ）は座の後部を上から見た部分斜視図である。
【図２７】スライダーと支持ステーと座との関係を示す底面図である。
【図２８】（Ａ）は連動部の一部を示す分離斜視図、（Ｂ）は同じく連動部の部分正面図である。
【図２９】（Ａ）は図２６（Ｂ）のＡ−Ａ視断面図、（Ｂ）は（Ａ）の部分拡大図、（Ｃ）は図２６（Ｂ）のＢ−Ｂ視断面図である。
【図３０】（Ａ）は動きを示すための側面図、（Ｂ）は跳ね上げ回動支点と支持ステーの押し位置との関係を示す分離側面図である。
【図３１】回転椅子に適用した第１３実施形態の斜視図である。
【発明を実施するための形態】
【００２６】
(1).第１実施形態の概要
次に、本願発明の実施形態を図面に基づいて説明する。まず、図１〜図５を参照して第１実施形態の概要を説明する。なお、以下の説明で方向を特定するための「前後」「左右」の文言を使用するが、これは、椅子に普通に腰掛けた人から見た状態を基準にしている。
【００２７】
椅子は、大きな要素として脚装置１と座２と背もたれ３とを備えている。脚装置１は、ガスシリンダよりなる脚支柱４と、脚支柱４を抱持する中心筒５と、中心筒５に溶接等で固定した前後２本ずつの枝足６ａ，６ｂとを有しており、各枝足６ａ，６ｂの先端にはキャスタ７を取り付けている。
【００２８】
枝足６ａ，６ｂは概ね中心筒５から放射方向に向かって延びており、中心筒５から下向きに傾斜した姿勢になっており、先端は鉛直姿勢に曲げている。そして、図  ３（Ｂ）に明示するように、前２本の枝足６ａの高さを後ろ２本の枝足６ｂの高さよりも低くすると共に、前２本の枝足６ａの広がり角度を後ろ２本の枝足６ｂの広がり角度より小さくすることで、前後に配置された脚装置１が互いに嵌まり合うことを許容している。
【００２９】
脚支柱４の上端には、支持部材の一例として、左右横長で上に開口した箱状の固定式ベース８が取り付けられており、固定式ベース８の左右両端部に、それぞれ座２の上方まで突出した支持フレーム９を固定している。支持フレーム９も支持部材の一例を構成している。図５に示すように、背もたれ３の下部の左右両側部には平面視Ｌ型の第１ブラケット１０が固定されており、第１ブラケット１０の外面に側面視略三角形の第２ブラケット１１を固定し、第２ブラケット１１の前端を第１支軸１２で支持フレーム９の上端に連結している。従って、背もたれ３は第１支軸１２を中心にして後傾動し得る。
【００３０】
図３に示すように、左右支持フレーム９のうち後部でから第１支軸１２より低い部位には、可動式ベース１４が第２支軸１５で跳ね上げ回動自在に連結されており、可動式ベース１４に座２が前後動自在に装着されている。
【００３１】
そして、例えば図１（Ａ）から理解できるように、第１ブラケットの後面に上下長手の主動アーム１６を固定し、主動アーム１６の下端に押動板１７を固定する一方、座２の後部のうち主動アーム１６の手前に位置した部位に上向きの従動アーム１８をそれぞれ固定し、従動アーム１８の上端に左右の補助板１９を固定して、左右補助板１９に挿通した従動ピン２０に押動板１７が後ろから当たるように設定している。従って、図２に示すように、背もたれ３が後傾動すると押動板１７が前進して、これに伴って座２は前進動する。詳細は後述するが、座２は可動式ベース１４に設けたばねで後退方向に付勢されており、このばねがロッキングに対する抵抗として作用する。
【００３２】
以上の説明から判るように、本実施形態では、使用状態では、座は背もたれ３の後傾動に連動して前進する。そして、不使用時には、図３（Ａ）図４に示すよう座２を跳ね上げ回動させることで、脚装置１同士が前後方向に嵌まり合った状態にネスティングされる。本実施形態では、主動アーム１６、押動板１７、従動アーム１８、補助板１９、従動ピン２０が請求項に記載した連動手段を構成している。
【００３３】
(2).固定式ベース・背もたれとその取り付け構造
次に、従前の図に加えて図６以下も図面も参照して各部位の詳細を説明する。まず、固定式ベース８の構造、及び背もたれ３とその取り付け構造を説明する。例えば図３に示すように、固定式ベース８は上向きに開口した箱状の形態と成しており、左右中間部にセンターブラケット２３を固定し、底板とセンターブラケット２３とに溶接で固定したブッシュ（図示せず）に、脚支柱４の上端が下方から嵌着している。
【００３４】
固定式ベース８には、センターブラケット２３を覆うような左右横長の支持ブラケット２４を固定しており、可動式ベース１４は支持ブラケット２４で安定的に支持される。従って、本実施形態では、支持ブラケット２４が請求項に記載した支持部になる。センターブラケット２３と支持ブラケット２４との間にある態度の空間が開いており、この空間にガスシリンダ操作部材が配置されている。ガスシリンダ操作部材はチューブに挿通されたワイヤで操作されるようになっており、図示していないが、座にはワイヤーを引き操作するための昇降レバーを設けている。
【００３５】
固定式ベース８を構成する左右側板８ａは左右端面から内側に寄っており、支持フレーム９は左右側板８ａにビス止めや溶接で固定している。支持フレーム９は、固定式ベース８から後傾姿勢で立ち上がってから鉛直姿勢になっており、上端には前向き張り出し部９ａを設けている。背もたれ３に固定された第２ブラケット１１は、前向き張り出し部９ａの前端部に連結されている。また、可動式ベース１４は、支持フレーム９のうち鉛直部に連結されている。
【００３６】
本実施形態では、固定式ベース８は座２の左右横幅よりも僅かに長い左右長になっているが、例えば座２の左右横幅の１／４程度の左右幅に設定して、支持フレーム９に、座２の下方において固定式ベース８に取り付く内向き部を設けることも可能である。また、固定式ベース８をアルミダイキャスト品や樹脂成形品として、支持フレーム９に相当する部分を固定式ベース８に一体に設けることも可能である。
【００３７】
図５，６に示すように、背もたれ３は樹脂製の背板（インナーシェル）２５を有しており、背板２１の前面及び後面にクッション２６（図１（Ａ）参照）を張り、これをクロス等の表皮材２７（同）で覆っている。敢えて述べるまでもないが、クッション２６は背板２５の前面のみに配置してもよい。
【００３８】
例えば図５に示すように、背板２５は第１ブラケット１０における内向き片の前面に重ね配置されており、背板２５を第１ブラケット１０にビス（図示せず）で固定している。
【００３９】
第１ブラケット１０や第２ブラケット１１に相当する部分を背板２５に一体成形することも可能である。主動アーム１６は第１ブラケット１の後面にビス止めや溶接で固定しているが、主動アーム１６と押動板１９とに相当する部分を背板２５に一体成形することも可能である。
【００４０】
(3).座及びその取り付け構造
次に、座２とその取り付け構造の詳細を説明する。図５に示すように、可動式ベース１４は左右側板１４ａを有していて上向きコの字型になっており、その後部下面に、左右の起立部３３ａを有する第３ブラケット３３をビス止めや溶接等で固定し、起立部３３ａが左右横長の第２支軸１５で支持フレーム９の上下中途部に回動可能に連結されている。なお、可動式ベース１４は樹脂やアルミの成形品を採用してもよく、起立部３３ａを可動式ベース１４に一体に設けることも可能である。
【００４１】
図８（Ｂ）に示すように、座２は、周縁が重なり合った樹脂製の上座板３４と下座板３５とを有しており、これらの上にクッション（図１（Ａ）参照）３６を張っており、クッション３６はクロス等の表皮材３７で覆われている。上座板３４と下座板３５とは離反不能に保持されている。
【００４２】
図８（Ａ）に示すように、下座板３４の下面には、サイド壁４０の内側に前後長手の可動レール４５を配置し、可動レール４５を、その前端部と後端部等の複数箇所においてビス（図示せず）で下座板３５に固定している。
【００４３】
図９に示すように、可動レール４５は正面視で外向きに開口したコの字型の形態を成しており、その内部に樹脂製のスライダー４６を配置している。スライダー４６は正面視で左右外側に向いて開口しており、図９に示すように、可動式ベース１４の左右側板１４ａの上端に内向きの庇部４７を設け、庇部４７にスライダー４６を嵌め込み装着している。
【００４４】
図８に示すように、可動レール４５を構成する略鉛直姿勢の基板４５ａの後端部は下座板３５の後ろ側に突出している。このため、下座板３５のリア壁４３には、基板４５ａが嵌まる切欠き４８を形成している。図５や図１０（Ｂ）に示すように、可動レール４５の後端に角筒状の従動アーム１８が溶接で固定されている。両者の位置合わせの正確性を図るため、可動レール４５には突起４９を設け、従動アーム１８には係合穴５０を設けて、両者を嵌め合わせている。
【００４５】
なお、従動アーム１８及び補助板１９を可動レール４５に一体に設けることも可能である。従動ピン２０又はこれと同じ機能を発揮する部分を従動アーム１８に一体に設けることも可能である。また、可動レール４５と同じ機能を発揮する要素を下座板３５に一体に設けて、従動アーム１８を下座板３５にビス等で固定することも可能である。
【００４６】
図１０に示すように、可動式ベース１４の上面のうち左右側板１４ａに近接した部位に上向き開口コの字形で前後長手のばね支持体５１をビス止めや溶接等によって固定し、ばね支持体５１の後端部に平面視で前向き開口コの字形のばね受け５２を溶接等で固定し、ばね受け５２の前面と従動アーム１８との間にばね（圧縮コイルばね）５３を介在させている。
【００４７】
従って、図９に示すように、背もたれ３が後傾すると、従動ピン２０を介して従動アーム１８が押されることで座２はばね５３の弾性に抗して前進動する。ばね受け５２には手前からロッド５１′を貫通させており、ロッド５１′の先端部は、従動アーム１８に挿通固定している。ロッド５１′により、座２の後退位置が規制されている。
【００４８】
なお、ばね支持体５１の内側板には、下座板３５のサイド壁４４が載るように設定することも可能である。また、既述のとおり可動式ベース１４はアルミや樹脂の成形品を採用できるが、その場合は、ばね支持体５１に相当する要素を可動式ベース１４に一体成形するのが好ましい。ばね支持体５１は、レバーやハンドルの操作でその前後位置を調節可能とすることも可能である。
【００４９】
(3).まとめ
既に説明したように、椅子に腰掛けた人が背もたれ３に凭れ掛かると座２が前進し、これにより、椅子の使用者はロッキング状態で身体が伸びる傾向を呈する。このため、座２を跳ね上げてネスティングできる椅子でありながら、高いリラックス効果を得ることができて、座り心地に優れている。
【００５０】
さて、ネスティング式の椅子は会議場や研修会場などに接地することが多く、このような会場では椅子の前後間隔をできるだけ詰める傾向があるが、本実施形態のように背もたれ３の傾動支点を座面より高い位置でかつ座２の後端よりも手前に位置させると、背もたれ３の上端の後ろ向き移動量をできるだけ抑制しつつ大きいロッキング角度を得ることができるため、前後間隔を狭めた状態で椅子を設置しても、ロッキング時に後ろの人に不愉快な思いをさせることを防止できる。この点、本実施形態の利点である。
【００５１】
すなわち、背もたれ３の回動支点が座面よりも高い位置（好適には着座者の腰より高い位置）にあると、背もたれ３は後傾によって下端が前進するため、全体的に後退しつつ後傾する場合に比べて、後傾角度が同じであっても背もたれ３の上端の後退寸法は短くなり、このため、ロッキングに際して人の頭や肩が座の後ろに大きく抗体する（のけ反る）ことを抑制できるのであり、これにより、後ろの人に不快感を与えずに快適な安楽状態を確保しつつ、できるだけ椅子の前後間隔を詰めてスペースを有効利用できるのである。
【００５２】
また、背もたれ３の回動支点が座面より下にあると、ロッキングに際して背もたれ３には着座者の上半身の荷重が大きなモーメントとして作用するため、ロッキングに対する適度の抵抗を得るには、使用者の体重に応じてばねの硬さを調節することを要するが、本実施形態のように背もたれの回動支点を座面より高い高さに設定すると、使用者の上半身全体の押圧力が背もたれに対してモーメントとして作用することはなく、使用者の上半身を回動支点のあたりで支持した状態で、上半身の上部のみの押圧力で背もたれが回動するに過ぎない。このため、使用者の体重が異なっても背もたれを後傾させる力はさほど違いない。従って、ロッキング用ばね５３の硬さ調節手段を設けなくても、体重が異なる使用者に同じ程度のロッキング抵抗を付与することができる（つまり、ばね５３の硬さが使用者の体重に応じて自動感応するのと同じ状態になる。）。
【００５３】
また、本実施形態のように座を座面より高い位置で支持フレームに連結すると、背もたれがハイバック仕様であっても座の跳ね上げ高さ位置を背もたれの高さに揃えることができて、ネスティング状態での美感向上に貢献できる。
【００５４】
背もたれの傾動支点を座面よりも高くすると、ロッキング時には背もたれ３の下端部が前進する傾向を呈するため、着座者の腰部（或いは臀部）が後ろから押されることがあるが、請求項４のように連動手段を設けると、ロッキング時に使用者の下半身が前進するため、適切なリラックス状態に保持できる。これにより、ネスティング可能なロッキング椅子でありながら、座り心地を向上させることができる。
【００５５】
また、本実施形態は、可動式ベース１４を設けたことで、ネスティング機能を確保しつつ座２の前進動も可能ならしめたものであり、この点も大きな特徴の一つである。また、可動式ベース１４の後端から上向きに突出した起立部３３ａを支持フレーム９に連結すると、座２は後傾姿勢まで跳ね上げ回動させることができるため、跳ね上げ状態での座２の安定性を確保できる利点もある。
【００５６】
図では表示していないが、支持フレーム９の前向き部９ａに肘当てを設けることも可能である。また、座２を跳ね上げると固定式ベース８と脚装置１との相対姿勢をネスティング可能な状態に変える姿勢修正装置と、座２を跳ね上げると脚支柱をフリー状態に変えて座２を最高高さに上昇させる高さ揃え装置とを設けるのが好ましい。
【００５７】
(4).第２〜第９実施形態
次に、他の実施形態を説明する。まず、図１１に示す第２実施形態を説明する。この第２実施形態は、支持フレーム９の上端部に背もたれ３の上下中途部を第１支軸１２で連結すると共に、背もたれ３の下端部と座２の後端に設けた起立部２ａとを第２支軸１５で連結している。この実施形態でも、背もたれ３はその後傾動によって下端が前進するため、座２はロッキング時に前進する。この実施形態では、第２支軸１５が連動手段を兼用している。図１１，図１２，図１６は請求項６の具体例である。
【００５８】
図１２に示す第３実施形態では、支持部材の一例としての背フレーム５５を第１支軸１２で固定式ベース８の後部に後傾動可能に連結して、背フレーム５５に背もたれ３を取り付けた構成において、背フレーム５５の前端部に上向きのリンク部５６を設けて、リンク部５６の上端とを座２の下向き突部５７とを第２支軸１５で連結し、更に、座２の下面と固定式ベース８の上面とに互いに当接する被支持部５８と支持部５９とを設けている。そして、被支持部５８と支持部５９とのと当接面を後ろに行くに従って高さが高くなる傾斜面（カム面）と成している。
【００５９】
固定式ベース８にはばね手段を内蔵しており、背もたれ３はばね手段に抗して後傾動するが、被支持部５８と支持部５９との当接面が傾斜面になっているため、座２は上昇しながら後退する。この場合、座２を持ち上げる力は使用者の体格に比例するため、ばね手段の固さを調節することなく、体格が異なる人に同じようなロッキング固さを提供することができる。すなわち、ロッキングに対する抵抗の大きさが体重感応している。この実施形態では、リンク部５６が連動手段を構成している。
【００６０】
図１３に示す第４実施形態もロッキングに対する抵抗を使用者の体重に感応させたものであり、この実施形態では、背フレームはその前端部を固定式ベース８に第１支軸１２で連結されている一方、座２は、その後部に設けた下向き突部６０がリンク６１を介して固定式ベース８に連結されている。そして、背フレーム５５の前端に延出部５５ａを設けて、左右の延出部５５ａの前端間に装架したフロトンピン６２に、座２の下面に設けた側面視下向き開口の軸受け部６３を上方から嵌め入れている。
【００６１】
固定式ベース８に対する背フレーム５５の連結高さ位置と固定式ベース８に対するリンク６１の連結高さ位置は略同じ高さに設定しており、このため、背フレーム５５の延出部５５ａとリンク６１とは平行リンク機構と同じ構造になっている。従って、背もたれ３が後傾すると座２は上昇しながら後退動する。この座２を上昇させる力が使用者の体重に略比例しているため、ロッキングに対するばね手段の固さは、体重が異なっても一定に保持される。なお、ばね手段は固定式ベース８に内蔵されている。この実施形態では、リンク６１と延出部５５ａとが連動手段を構成している。
【００６２】
図１４（Ａ）（Ｂ）に示す第５実施形態では、背もたれ３は、固定式ベース８から後ろに延びて更に略上向きに延びる固定式背フレーム６４の上端部（背支柱の上端）に後傾動可能に取り付けられており、ロッキング用のばね手段は、固定式背フレーム６４に内蔵されている。他方、座２は可動式ベース１４に前後スライド自在に装着されており、座２の前進動には可動式ベース１４に内蔵したばね手段で抵抗が付与される。可動式ベース１４は、その後端部が固定式ベース８の後端部に第２支軸１５で連結されていると共に、回動支点よりも手前の部分が固定式ベース８の支持部６５で支持されている。
【００６３】
この実施形態では、背もたれ３は独立して後傾動するが、人が背もたれ３に凭れ掛かると臀部は前進しようとする傾向を呈するため、座は人の臀部に押される状態で前進する。従って、動きとしては第１実施形態と同じ状態になるが、連動手段は要しないため構造を簡素化できる。なお、可動式ベース１４を平面視前向き開口コの字型に形成して、左右の縦長部で座を前後動自在に支持することも可能である。
【００６４】
図１４（Ｃ）に示す第６実施形態では、固定式ベース８に後傾動可能に連結された背フレーム５５に、座２を第２支軸１５で跳ね上げ回動自在に取り付けている。また、座２の下面に下向き突設した被支持部５８を固定式ベース８の上面に当接させている。従って、ロッキングに際して座２は後退動するが、固定式ベース８の支持面６６を後ろに行くに従って低くなる傾斜面に設定しているため、座２の後退に伴う後傾角度を小さくしたり後傾角度をゼロにしたりすることができる。この実施形態では、第２支軸１５が連動手段を構成している。
【００６５】
図１５に示す第７実施形態では、固定式ベース８に後傾動自在に連結した背フレーム５５に背もたれ３を取り付けると共に、背フレーム５５には、上端部が座２の後部側面の外側に延びる中間部材６７を固定し、中間部材６７と座２とを左右横長の第３支軸６８で相対動可能に連結している。また、固定式ベース８には、背フレーム５５が引っ張られる左右横長のスライド軸６９を取り付け、固定式ベース８に内蔵したばね手段でスライド軸６９の後退動を支持している。
【００６６】
そして、スライド軸６９を固定式ベース８の左右外側に突出させて、この突出した端部に、座２の下面に設けた軸受ブラケット７０を上から嵌め込んでいる。従って、この実施形態では、背もたれ３が後傾すると座２は後退しつつ後傾する。軸受ブラケット７０は下向きに開口しているので、座２を上向きに跳ね上げることができる。この実施形態では、中間部材６７と軸受ブラケット７０が連動手段を構成している。
【００６７】
図１６に示す第８実施形態では、回動式の背フレーム５５に背もたれ３を取り付けた場合において、背フレーム５５の前端に第１支軸１２よりも上に延びる起立部５５ｂを設ける一方、座２はその後部をベルクランク式のリンク５６で固定式ベース８に連結し、リンク５６のうちその回動支点よりも後ろの部位と背フレーム５５の起立部５５ｂとをピンで連結している。この実施形態では、背もたれ３が後傾すると座２は前進する。
【００６８】
図１７では、第９実施形態として座２の昇降機能を持たないタイプの脚装置１を表示している。この脚装置１は、上端を構成するヘッド６９に前後４本の枝足７２ａ，７２ｂを固定し、ヘッド７１の上に固定式ベース８を回転自在に取り付けている。従って、この脚装置１を有する椅子では、座２及び背もたれ３は水平回転自在であるが、高さ調節機能は備えていない。
【００６９】
図１８（Ａ）に示す第１０実施形態は基本的には第１実施形態と同様であり、支持フレーム９に跳ね上げ自在に連結した回動式ベース１４を前後スライド自在に取り付けている。第１実施形態との相違点としては、回動式ベース１４を支持フレーム９のうち座面より低い位置に連結していることと、背もたれ３で座２を前進させる手段として、背もたれ３の左右側部に下向き開口の係合溝７４を設ける一方、座２の後端の左右両側部に、係合溝７４に下方から嵌まる係合ピン７５を設けている点が挙げられる。座２をはね上げると係合ピン７５は係合溝７４から離脱し、座２を倒すと係合ピン７５が係合溝７４に嵌まって、背もたれ３の後傾動にて座２が前進する。
【００７０】
図１８（Ｂ）に示す第１１実施形態は第１０実施形態と殆ど同じであり、第１０実施形態との相違点は、ロッキング用ばねとしてキックバネ（ねじりトーションばね）７６を使用して、これを第１支軸１２に巻いていることである。キックバネ７６の一端７６ａは支持フレーム９にピン７７で止められており、キックバネ７６の他端７６ｂは背もたれ３にピン７８で止められている。敢えて述べるまでもないが、実際にはキックバネ７６はカバーで覆われたり、支持フレーム９に内蔵されたりして外部に露出することはない。
【００７１】
座２の回動によって当該座２と背もたれ３との連動関係を係脱させる場合、背もたれ３にピン７５を設けて座２に係合穴７４を設けるなど、雄型係合部と雌型係合部との任意の嵌合関係を選択できる。この場合、背もたれ３は、後傾していない基準姿勢（ニュートラル姿勢）に戻り勝手となるようにばねで付勢しておくのが好ましい。
【００７２】
(5).第１２実施形態の概要
次に、第１２実施形態を図１９〜図３０に基づいて説明する。まず、椅子の概略を主として図１９〜図２２に基づいて説明する。「前後」「左右」の文言は、従前の実施形態と同様に椅子に普通に腰掛けた人から見た状態を基準にしている。本実施形態の符号は従前の実施形態とは独立して付与している。従って、同じ符号でも部材が相違していることが殆どである。
【００７３】
１９のとおり、椅子は、大きな要素として脚装置１と座２と背もたれ３とを備えており、座２は、跳ね上げ回動式の可動式ベース４に取り付けられている。従って、座２と可動式ベース４とを主要要素として座部５が構成されている。図１９（Ａ）に示すように、座２は、樹脂製の座板（座インナーシェル）６とその上面に張った座クッション材７とを備えており、座クッション材７はクロス等の表皮材８で覆われている。なお、可動式ベース４は、回動式ベース又は跳ね上げ式ベースと呼ぶことも可能である。図２０〜図２２に示すように、可動式ベース４の上面には多数の補強リブ９を設けている。
【００７４】
脚装置１は鋼管やアルミ管等の金属管から成っており（従って、本実施形態はいわゆるパイプ椅子に適用している。）、左右の前足１０と左右の後足１１とを有する４本足方式になっている。前後各足にはキャスタ１２を取り付けている。前足１０の上端には、水平に対してやや前傾した姿勢で後ろ向きに延びる上サイド部１４が曲げ形成されており、上サイド部１４の後端を後足１１の上端寄り部位に突き合わせて溶接で固定している。
【００７５】
左右の上サイド部１４の前端は左右横長の横杆１５で連結されている。横杆１５は前倒しされた座部５を支持する機能も有しており、左右中間部が高くなるように正面視で上向き凸状に緩く曲がっている。後足１１は、上に行くほど手前にずれるように側面視で前傾姿勢になっており、かつ、緩い曲率で湾曲している。横杆１５と請求項に記載した支持部であり、図１９（Ｂ）のとおり、可動式ベース４の下面には、横杆１５の左右中間部が嵌まる凹所４ａを形成している。
【００７６】
後足１１の上端は自由端になっており、上端に軸心を左右水平とした上支軸１７が溶接で固定されており、この上支軸１７に背もたれ３が上ビス１８を介して後傾動可能に連結されている。従って、本実施形態では、後足１１の上端部が、背もたれ３と座２とを取り付ける支持部材の一例としての支持フレーム１９になっている。支持フレームは脚装置１の一部なので、本実施形態は、背もたれ３と座２とが脚装置１に直接取り付けられていると見ることも可能である。既述のように後足１１は側面視で前傾しており、このため、上支軸１７は座２の後端よりも手前に位置している。
【００７７】
左右の後足１１の左右間隔は左右前足１０の左右間隔よりも大きくなっており、このため、座部５を跳ね上げた状態で前後の椅子の脚同士を嵌め合わせる（ネスティングする）ことが可能になっている。例えば図２１に明示されているように、後足１１の内側面には、椅子をネスティングした時に後ろの椅子の前足１０が当たる（嵌まる）ストッパー２０を設けている。ストッパー２０はゴム製又は樹脂製であり、緩衝機能と位置決め機能とを有している。
【００７８】
なお、脚装置１の形態は任意に設定することができる。敢えて述べるまでもないが、左右前足１０の間隔を左右後足１１の間隔より大きくすることによっても、ネスティング可能である。各足１０，１１は、中実の棒材で製造したり楕円管で製造したりすることも可能である。勿論、アルミダイキャスト品又は樹脂成形品も採用可能である。
【００７９】
例えば図２１に示すように、可動式ベース４は、平面視四角形で浅い箱状の本体部２１と、本体部２１の後部から外側に広がりつつ上向きに突出した角状アーム２２と有している。可動式ベース４は樹脂成形品（アルミダイキャスト品でもよい）あり、角状アーム２２は本体部２１に一体に設けている。なお、本体部２１は箱状であることから、外周は周壁で構成されている。
【００８０】
角状アーム２２は基本的には前後方向に広い板状であるが、前後間隔は上に行くに従って狭まっており、上端には左右外向きに突出したボス部（軸受部）２３を一体に設けており、このボス部２３が支持フレーム１９の上下中途部に下支軸２４と下ブッシュ２５と下ビス２６とで回動可能に連結されている。従って、可動式ベース４は、ボス部２３の軸心２７を中心にして跳ね上げ回動することができ、これにより、座部５は図１９（Ｂ）のように跳ね上げられた（折り畳まれた）状態になる。座部５を跳ね上げた状態で、当該座部５の重心はボス部２３及び下支軸２４の軸心２７よりも後ろに位置している。なお、下支軸２４は支持フレーム１９に溶接で固定している。また、下ビス２６の頭は下キャップ２８で覆われている。
【００８１】
図１９（Ｃ）に示すように、背もたれ３は、前後に大きく開口した背もたれ本体（メインフレーム）２９と、背もたれ本体２９にその開口部を覆うように取り付けられたサポート体３０とを有している。サポート体３０の前面には背クッション材３１を張っているが、背クッション材３１を設けずにサポート体３０を露出させたままでもよい。背もたれ本体２９及びサポート体３０は、樹脂の成形品である。
【００８２】
背もたれ本体２９のうち下寄りの部位には左右外側に張り出した外向き張り出し部２９ａを形成しており、この外向き張り出し部２９ａの外端に、上支軸１７に嵌まる軸受け部３２を形成している。軸受け部３２には図示しないブッシュが嵌まっており、上ビス１８を内側から上支軸１７にねじ込むことにより、背もたれ本体２９は上支軸１７に離脱不能に保持されている。上ビス１８の頭は上キャップ３３で覆われている。外向き張り出し部２９ａは平面視で手前に突出しており、このため、背もたれ３で着座者の腰部を後ろから囲う状態になっている。
【００８３】
背もたれ３を縦断側面視で見ると、背もたれ本体２９のうち外向き張り出し部２９ａを設けている高さ位置の部分が最も前に位置するように曲がった形態になっている。そして、外向き張り出し部２９ａの高さは、平均的な成人が着座した場合に腰部（特に第３腰椎のあたりが好ましい）の高さになるように設定している。このため、背もたれ３はランバーサポート機能を保持している。
【００８４】
背もたれ本体２９の開口とサポート体３０とは、下部が丸みを帯びて全体的に上に窄まった正面視形態を成している。サポート体３０には、その周縁部を除いて多数の穴が縦横に並んで開口しており、このため、多数の縦筋と横筋とが交叉した格子状の外観を呈している。サポート体３０の周縁部が背もたれ本体２９に嵌め込み装着されている。
【００８５】
敢えて述べるまでもないが、背もたれ本体２９を前後に開口していない構成として、これに背クッション材３１を直接に又はインナー部材を介して取り付けることも可能である。また、樹脂製のサポート体３０に代えて、可撓性のあるメッシュ材を背もたれ本体２９に張ることも可能である。樹脂製のサポート体３０を設ける場合、横長のスリットが多段に形成された形態など、様々の態様を採用できる。背もたれ３は、背もたれ本体２９のみで構成することも可能である。
【００８６】
背もたれ３が後傾すると、座２は前進する。従って、座２は可動式ベース４に前後スライド自在に取り付けられている。具体的には、図２０〜図２２に示すように、可動式ベース４に左右一対のスライダー３６を前後動自在に装着し、左右スライダー３６に座板６が前後相対動不能に装着されている。従って、座２はスライダー３６と一緒に相対動する。図２２に示すように、スライダー３６の前進動は、弾性支持手段の一例としてのばね３７（圧縮コイルばね）で弾性的に支持される。ばね３７は前後のばね受け３８，３９で支持されており、前部ばね受け３８は可動式ベース４に前後動不能に保持されており、後部ばね受け３９はスライダー３６で押されて前進する。
【００８７】
更に、左右のスライダー３６の後端部には金属板製の左右横長の支持ステー４０がビス４１で固定されており、支持ステー４０の左右両端部に上向きの受動アーム４２を曲げ形成している一方、背もたれ本体２９の下端部には、支持ステー４０の受動アーム４２に上から嵌まるポケット状の押動部（ホルダー部）４３を設けている。受動アーム４２の上端には、樹脂製の冠部材４４を装着している。冠部材４４は、押動部４３への反力を分散させると共に動きを滑らかにするためのものである。
【００８８】
本実施形態の椅子は、着座者の凭れ掛かりによって背もたれ３がロッキングすると、支持ステー４０を介してスライダー３６が前進し、これにより、座２は背もたれ３のロッキングに連動して（シンクロして）前進する。
【００８９】
従って、本実施形態の椅子は、ネスティング可能な椅子でありながら、座２は背もたれ３のロッキングに連動して前進動する。なお、スライダー３６はばね３７で後退方向に付勢されているので、押動部４３は受動アーム４２を押す機能があれば足り、従って、ポケット状の形態にすることなく、例えば背もたれ本体２９の下部の一部を厚肉化することで、押動部４３として機能させることも可能である。本実施形態では、押動部４３及び支持ステー４０の受動アーム４２が連動手段を構成している。
【００９０】
(6).スライド機構
次に、各部位の詳細を説明する。まず、主として図２３〜図２５を参照してスライド機構を説明する（図２４ではばねは省略している）。既述のように、可動式ベース４には、座２が固定された左右一対のスライダー３６が配置されている。
【００９１】
例えば図２４，２５のとおり、スライダー３６は前後長手で下向きに開口した溝型になっており、左右側板３６ａの下端に外向きの前後フランジ３６ｂを曲げ形成している。他方、可動式ベース４の左右側部には、スライダー３６が被さる前後一対の支持突起４５を設け、支持突起４５４上端に、軸心を作用横長にして配置されたコロ４６を転動自在に嵌め入れている。コロ４６はＰＯＭ樹脂のような摩擦係数が小さい樹脂で製造されており、スライダー３６を軽快かつ無音で前後スライドさせることができる。
【００９２】
スライダー３６の左右ずれは、可動式ベース４に設けた外ガイド壁４７と前後の内ガイド突起４８とによって規制されている。そして、外ガイド壁４７と前後の内ガイド突起４８とに、スライダー３６の前後フランジ３６ｂの上に位置したガイドストッパー４９を突設している。このため、スライダー３６は上向き移動不能で前後スライド自在に保持されている。スライダー３６の前後フランジ３６ｂの間に大きな間隔が空いている一方、前後のガイドストッパー４９の間にも大きな間隔が空いている。
【００９３】
そこで、スライダー３６の取り付けは、スライダー３６を所定位置より後ろにずらした状態で、前後のガイドストッパー４９軸間に手前側のフランジ３６ｂを上から嵌め入れ、それからスライダー３６を手前にずらしてフランジ３６ｂをガイドストッパー４９に下に位置させる、という手順で行われる。スライダー３６のフランジ３６ｂと可動式ベース４の底面との間にはある程度の間隔が空いており、そこで、可動式ベース４には、スライダー３６のフランジ３６ｂに近接する補強リブ９を設けている。
【００９４】
ばね３７と前後ばね受け３８，３９とは１つのユニットになっており、前部ばね受け３８は、手前側に位置した支持突起４５の後面に設けた左右ホルダー片５０にて前後左右ずれ不能に保持されている。すなわち、図２５に示すように、前部ばね受け３８は左右のホルダー片５０で挟まれた状態で後端が前部の支持突起４５に当接しているが、左右ホルダー片５０に支持突起４５との間に溝ができるように切欠き５１を形成する一方、前部ばね受け３８には、切欠き５１に上から嵌まる横向き突起３８ａを設けており、これにより、後部ばね受け３９は左右方向及び前後方向にずれ不能に保持されている。
【００９５】
また、同じく図２５に明示するように、前部ばね受け３８には前端を自由端とした前向き片３８ｂを形成しており、前向き片３８ｃの前端にストッパー爪３８ｄを設けて、このストッパー爪３８ｄを、スライダー３６に形成した長溝５２に嵌め入れている。ストッパー爪３８ｄは、その前端面は鉛直姿勢になっており、このため、スライダー３６の後退位置が規制されている。また、ストッパー爪３８ｄの後面は後ろに行くに従って低くなった傾斜面３８ｅになっており、このため、スライダー３６を後ろから手前にずらしてセットするにおいて、前向き片３８ｃがいったん下向きに曲がり変形してから戻り変形する。従って、スライダー３６の取り付けは簡単に行える。
【００９６】
他方、図２４，２５に示すように、後部ばね受け３９には、スライダー３６に切り起こし形成した垂下片５３が後ろから当接している。垂下片５３はその下端に左右外向き凸片５３ａを設けた正面視逆Ｔ型になっている一方、後部ばね受け３９には、垂下片５３のうち下端を除いた部分を左右から挟む左右の規制片３９ａを設けている。このため、スライダー３６と後部ばね受け３９とは左右ガタ付き不能に保持されている。
【００９７】
後部ばね受け３９には手前に延びるロッド３９ｂが一体に形成されており、ロッド３９ｂの先端を前後ばね受け３８に設けた係合穴５４に嵌め込むことにより、前後のばね受け３８，３９は抜け不能で相対動可能に保持されている。前後ばね受け３８，３９が最も離反した状態で、ばね３７は予備圧縮されている（プリテンションが掛かっている。）。従って、既述のとおり、前後ばね受け３８，３９とばねとは１つのユニットになっており、このため、保管等の取り扱いに便宜であると共に、組み立ても簡単である。
【００９８】
(7).スライダーとステーと座板との関係
次に、従前の図に加えて図２５，２６も参照してスライダー３６と支持ステー４０と座板６との関係を説明する。図２３（Ｂ）（Ｃ）のとおり、スライダー３６の後端には後ろ向き片３６ｄを設けて、これを支持ステー４０にビス４１及びナット（袋ナット）５８で固定している。
【００９９】
支持ステー４０のうちスライダー３６の固定部は上向き膨出部４０ａになっており、上向き膨出部４０ａに凹み形成した段部４０ｂにスライダー３６の突片３６ｃを固定している。このため、支持ステー４０は高い剛性を保持している。なお、ナット５８を使用せず、ビス４１を支持ステー４０に直接ねじ込むことも可能である（この場合は、支持ステー４０にバーリング部を形成して、ビス４１をバーリング部にねじ込むのが好ましい。）。なお、支持ステー４０の膨出部４０ａは受動アーム４２にも延びており、このため、受動アーム４２の強度が格段に高くなっている。
【０１００】
図２６に示すように、座板６の下面には、スライダー３６を左右から抱持する前後一対ずつの下向き規制体５９，６０を設けており、前部の下向き規制体５９には、スライダー３６の前端面に当たる規制部５９ａを設けている。更に、座板６には、スライダー３６の後端に当接するストッパー爪６０を設けている。
【０１０１】
ストッパー爪６０は、後端を自由端とした後ろ向きの舌片６１の後端に形成しており、かつ、ストッパー爪６０の後面は後ろに行くる従って高くなる傾斜面６０ａになっている。このため、座板６をスライダー３６に重ねて後ろにずらすと、ストッパー爪６０はいったん上に逃げ移動してから戻り変形して、スライダー３６のうち突片３６ｃの左右外側に位置した後端面に当接し、これにより、座板６は前後左右にずれ不能に保持される。
【０１０２】
更に、座板６の下面には、支持ステー４０の前端縁に手前から嵌合する側面視鉤型のリア係合爪６２を設けている。リア係合爪６２は左右中間部とその左右外側との３カ所に設けており、リア係合爪６２の存在によって座板６の後部は支持ステー４０から上向き動不能に保持されているため、ストッパー爪６０がスライダー３６に係合した状態が保持されている。
【０１０３】
敢えて述べるまでもないが、座板６の取り付け構造は様々の手段を採用できる。例えば、スライダー３６や支持ステー４０にビス止めすることも可能である。また、左右のスライダー３６をその前部においてもステーで連結し、前部のステーに対して座板を取り付けることも可能である。
【０１０４】
なお、図１９（Ｃ）を引用して説明したように、座クッション材７は表皮材８で覆われているが、表皮材８には筒部が形成されてこれに紐が通っており、紐を絞ることで座板６に取り付けている。そして、例えば図２６（Ｂ）に示すように、座２の周縁の下面には紐を嵌め込む環状溝６３が形成されている。そして、紐は座板の後端部の左右中間部において縛っているが、座２の跳ね上げ状態で紐の結び目が露出すると美感を損なう虞がある。
【０１０５】
そこで、例えば図２６に示すように、座板６の後端には下向きのカバー片６４を設けて、カバー片６４を倒すことにより、紐の結び目の露出を防止している。カバー片６４は倒した状態で座板６の下面と同一面を成すように設定しており、かつ、図示しない爪手段によって起こす不能に保持される。
【０１０６】
(8).座の押動機構
次に、主として図２８，２９に基づいて、ロッキングに伴う座の押動機構を説明する。図２８，２９のとおり、支持ステー４０における受動アーム４２の上端には既述のとおり樹脂製の冠部材４４を装着している。冠部材４４は側面視で概ね円形に近い形態であり、受動アーム４２の上端が嵌まる下向き開口溝７５を設けている。
【０１０７】
受動アーム４２の上端も側面視で概ね円弧状に形成されているが、手前側に係合段部７６を形成して後ろ側には切欠き７７を形成しており、このため、受動アーム４２の上端には首付きの頭部４２ａが形成された状態になっている。冠部材４４には、受動アーム４２の係合段に嵌合する爪部４４ａを形成しており、このため、冠部材４４は、受動アーム４２にガタ付き無く離脱不能に保持されている。
【０１０８】
背もたれ本体２９の押動部４３は既述のとおりポケット状に形成されており、左右の側板４３ａと、左右側板の上端に繋がった天板４３ｂと、左右側板４３ａの内部に一対に繋がった上下長手の中板４３ｃとを有している。左右側板４３ａの前端には内向きリブ４３ｄが形成されており、内向きリブ４３ｄの間隔は、受動アーム４２は通るが冠部材４４は抜け出ない寸法に設定されている。受動アーム４２の頭４２ａ及び冠部材４４は、内向きリブ４３ｄと中板４３ｃとの間に位置しており、受動アーム４２が冠部材４４を介して中板４３ｃで押されることにより、背もたれ３のロッキングに連動して座２が前進動する。
【０１０９】
中板４３ｃの前面は、平面視で左右方向に真っ直ぐ伸びる平坦面になっている。このため、冠部材４４をこじれのない状態で押すことができる。中板４３ｃはこのように冠部材４４をこじれなく安定良く押すために設けたものであるから、中板４３ｃの後ろの空間は塞いでもよい。すなわち、中板４３ｃを設けることに代えて、背もたれ本体２９に段部を形成してもよい。図２９のとおり、中板４３ｃの上半分程度では後ろには空間はなくて、実質式には段部になっている。
【０１１０】
図２９に示すように、背もたれ３は上支軸１７の軸心７８を中心にして矢印７９方向に回動し、この回動により、押動部４３は下降しつつ前進する。他方、支持ステー４０は前進するだけである。従って、冠部材４４が押動部４３の内部に相対的に上昇動することにより（中板４３ｃで冠部材４４を押す位置が高くなることにより）、ロッキングによる座２の前進動が許容されている。背もたれ３に対する体圧が解除されると、支持ステー４０はばね３７によって後退し、すると、押動部４３が冠部材４４で押されて背もたれ３は戻り回動する。
【０１１１】
さて、人が背もたれ３に凭れかかっていない状態で、背もたれ３の上端に前向きの外力が掛かることがある。例えば、椅子を机に入り込ませた状態で、人が誤って背もたれ３の上端を後ろから押した場合などである。このような場合のためには、背もたれ３をロッキングしていないニュートラル状態で前傾不能に保持するストッパー手段を設ける必要がある。
【０１１２】
しかるに、本実施形態では、押動部４３の左右側板４３ａの前端に内向きリブ４３ｄを設けたことにより、ニュートラル状態で背もたれ３に前傾させようとする外力が作用しても、内向きリブが冠部材４４に手間から当たることで背もたれ３の前傾が阻止される。従って、特別の前傾阻止手段を設けることなく、背もたれ３の前傾を防止できる。この点、本実施形態の利点の一つである。
【０１１３】
また、図３０のとおり、可動式ベース４の回動軸心２７と冠部材４４の軸心８０とが一致しているため、可動式ベース４をポケット状の押動部４３に収納したものでありながら、可動式ベース４はこじれなく回動させることができる。また、座２を跳ね上げた状態で背もたれ３が自重で後傾し勝手になることも防止できる。
【０１１４】
なお、ごく僅かの寸法（例えば１〜３ｍｍ程度だけ冠部材４４の軸心８０を可動式ベース４の回動軸心２７から下方又は手前若しくは手前下方にずらすことも可能である。この場合は、可動式ベース４はこじれを持った状態で回動するが（すなわち支点超えする状態で回動するが）、こじれは背もたれ本体２９の弾性変形によって吸収され、かつ、背もたれ３を跳ね上げた状態で、背もたれ本体２９の弾性復原力が座部５（可動ベース体４、座部５）を後傾し勝手に押すように作用するため、座部５を跳ね上げた状態を保持するのに有効である。既述のとおり、座部５を跳ね上げた状態では、当該座部５の重心は可動式ベース４の回動軸心２７よりも後ろに位置している。
【０１１５】
(9).他の実施形態
図３１では、第１実施形態と同様に回転椅子に適用した例を示している。この例では、ガスシリンダより成る脚支柱９６の上端に設けた昇降ベース９７に左右の支持フレーム１９を設け、この支持フレーム９８に背もたれ３と可動式ベース４とを回動自在に連結している。この実施形態では、昇降ベース９７の前端部に支持部９７ａを設けている。背もたれ３と可動式ベース４との連結構造は上記した実施形態と同じである。脚装置１は、脚筒９９に対する取り付け位置の高さを変えた２本ずつの枝足１０１，１０２を有している。このため、座部５を跳ね上げると前後にネスティングすることができる。
【０１１６】
(10). その他
本願発明は、上記の実施形態の他にも様々に具体化できる。例えば、座や背もたれの形態は必要に応じて任意に設定できる。ロッキングに対して抵抗を付与するばね手段としては、トーションバーや板ばねなど各種のばねを採用できる。背もたれの後傾姿勢を制御するガスシリンダ等のロック手段を設けることも可能である。背もたれ又は座は、その外周を構成するフレーム材にメッシュ状等の可撓性シート材を張った構造とすることも可能である。
【０１１７】
背もたれと座（可動式ベース）とを別々の支持部材に取り付けることも可能である。第１２実施形態のような固定式脚装置の椅子の場合、脚装置１を構成する上サイド部１４に上向き突出した支持部材（支持部）を設け、これに可動式ベースや背もたれを取り付けることも可能である。
【０１１８】
本願発明は上記の実施形態の他にも様々に具体化できる。
【産業上の利用可能性】
【０１１９】
本願発明は椅子に具体化して製造できる。従って、産業上利用できる。
【符号の説明】
【０１２０】
１  脚装置
２  座
３  背もたれ
４  脚支柱（ガスシリンダ）
６  枝足
８  固定式ベース
９  支持フレーム
１２  第１支軸（背もたれの傾動中心）
１４  可動式ベース
１５  第２支軸（座の跳ね上げ回動中心）
１６  連動手段を構成する主動アーム
１７  連動手段を構成する押動板
１８  連動手段を構成する従動アーム
２０  連動手段を構成する従動ピン
２３  背板
２４  支持部を構成する支持ブラケット
３４，３５  座板
４５  可動レール
５１  固定レール
５３  ばね
５５  背フレーム
［第１２実施形態］
１  脚装置
２  座
３  背もたれ
４  可動ベース体
１１  後足
１５  支持部となる横杆
１７  上支軸
１９  支持部材の一例としての支部フレーム（脚支柱）
２１  可動ベース体の本体部
２２  可動ベース体の角状アーム
２３  角状アームのボス部（軸受け部）
２４  下支軸
２９  背もたれ本体
３２  背もたれの軸受け部
３６  座受け体を構成するスライダー
３７  ばね
４０  座受け体を構成する支持ステー
４２  受動アーム
４３  押動部
【図１】
2014004319.tif 000003
【図２】
2014004319.tif 000004
【図３】
2014004319.tif 000005
【図４】
2014004319.tif 000006
【図５】
2014004319.tif 000007
【図６】
2014004319.tif 000008
【図７】
2014004319.tif 000009
【図８】
2014004319.tif 000010
【図９】
2014004319.tif 000011
【図１０】
2014004319.tif 000012
【図１１】
2014004319.tif 000013
【図１２】
2014004319.tif 000014
【図１３】
2014004319.tif 000015
【図１４】
2014004319.tif 000016
【図１５】
2014004319.tif 000017
【図１６】
2014004319.tif 000018
【図１７】
2014004319.tif 000019
【図１８】
2014004319.tif 000020
【図１９】
2014004319.tif 000021
【図２０】
2014004319.tif 000022
【図２１】
2014004319.tif 000023
【図２２】
2014004319.tif 000024
【図２３】
2014004319.tif 000025
【図２４】
2014004319.tif 000026
【図２５】
2014004319.tif 000027
【図２６】
2014004319.tif 000028
【図２７】
2014004319.tif 000029
【図２８】
2014004319.tif 000030
【図２９】
2014004319.tif 000031
【図３０】
2014004319.tif 000032
【図３１】
2014004319.tif 000033